(57)【要約】【課題】遊技領域へ向けて発射された遊技球が発射レール側へ戻ってきた場合に、遊技の支障を抑制することが可能な遊技機の提供を目的とする。【解決手段】遊技球誘導レール３Ａから戻ってきた遊技球を回収する球回収口６５の遊技機前後方向に対する開口幅を、発射レール５３１の遊技機前後方向に対するレール幅よりも大とし、発射レール５３１上を転動する遊技球が通過可能な発射通路の遊技機前後方向に対する通路幅を、球回収口側でレール幅より大にして球回収口６５の開口幅と略同一にすると共に、球回収口側とは反対側へ向けて徐々に狭くすることで遊技球を発射レール５３１上へ誘導可能な通路規制部を設けた。【選択図】図６
2012213476.tif 000002
【特許請求の範囲】
【請求項１】
遊技球誘導レールで囲まれた遊技領域を有する遊技盤と、
前記遊技盤を保持可能な遊技盤保持枠と、
前記遊技球誘導レールへ向けられた発射レールと、
前記発射レールへ遊技球を送り出し可能な送出装置を有する球供給部材と、
前記発射レールに送り出された遊技球を前記遊技球誘導レールへ向けて発射可能な発射装置と、
を備え、
前記発射装置により前記発射レールから発射された遊技球が前記遊技球誘導レールにより前記遊技領域へ誘導可能とされ、前記発射レールから前記遊技球誘導レールへ向けて発射された遊技球のうち、前記遊技領域へ到達することなく前記遊技球誘導レールから前記発射レール側へ戻ってくる遊技球を回収するための球回収口を前記遊技球誘導レールと前記発射レールの間に有する遊技機において、
前記遊技盤の前面側には前記遊技球誘導レールの遊技盤側が固定され、
前記遊技盤保持枠の前面側には前記球回収口と、前記発射レールの遊技盤側が固定されたベース部材とが設けられ、前記遊技球誘導レールの遊技盤側と前記発射レールの遊技盤側は前記遊技機の前後方向に対する位置が略同一にされ、前記ベース部材には前記発射装置が取り付けられ、
前記球回収口は、遊技機前後方向に対する開口幅が前記発射レールの遊技機前後方向に対するレール幅よりも大とされ、
前記球供給部材は、前記ベース部材の発射レール取付側の面と対向する壁面を有し、前記発射レール上を転動する遊技球が通過可能な発射通路の少なくとも一部が前記ベース部材の発射レール取付側の面と前記球供給部材の壁面との間で構成され、
前記発射通路の遊技機前後方向に対する通路幅を、前記発射通路における球回収口側で前記発射レールにおける前記レール幅より大にして前記球回収口の前記開口幅と略同一にすると共に、前記球回収口側とは反対側へ向けて徐々に狭くすることで遊技球を前記発射レール上へ誘導可能な通路規制部が、前記ベース部材の発射レール取付側の面と前記球供給部材の壁面間に設けられていることを特徴とする遊技機。
【請求項２】
前記通路規制部は、前記球供給部材の壁面に設けられていることを特徴とする請求項１に記載の遊技機。
【請求項３】
前記ベース部材の発射レール取付側の面と前記球供給部材の壁面との間隔が前記球回収口の前記開口幅と略同一にされ、
前記通路規制部は、前記球供給部材の壁面から前記ベース部材の発射レール取付側の面へ向けて突出した突起からなり、前記突起は前記発射レールの長さ方向に沿って形成されると共に、前記球供給部材の壁面における球回収口側から反対側へ向けて前記ベース部材の発射レール取付側の面へ傾斜していることを特徴とする請求項２に記載の遊技機。
【発明の詳細な説明】
【技術分野】
【０００１】
本発明は、遊技領域へ向けて発射された遊技球が遊技領域に至ることなく発射装置側へ戻ってくる際に遊技の支障を抑制可能な遊技機に関する。
【背景技術】
【０００２】
従来のパチンコ遊技機は、遊技球を遊技盤の遊技領域に打ち込むために、発射モータ、発射モータで回動する槌部材等からなる発射装置や発射レールなどを備えている。
前記発射装置及び発射レールなどの発射機構は、遊技球が精度よく遊技領域内に発射されるように発射レールと槌部材の槌先を合わせる微調整が必要となり、高度な技術を要し、組み立ての作業性が悪いという問題があった。
【０００３】
このような組み立て作業性の悪さを改善するため、槌部材、駆動源、発射レール等の遊技球の発射に係る部材や装置を取付ベースに正確な配置で取り付けて発射ユニットを形成し、発射ユニットの取付ベースを遊技機の遊技盤保持枠に取り付けることで、パチンコ遊技機の組み立て作業の合理化が図られている。なお、遊技盤保持枠に取り付けられる遊技盤には発射レールから発射された遊技球を遊技盤の遊技領域へ誘導するための遊技球誘導レールが取り付けられ、遊技球誘導レールと発射レール間には、遊技領域へ向けて発射された遊技球が遊技領域に至ることなく遊技球誘導レールから発射レール側へ戻ってきた場合に遊技球を回収可能な球回収口が遊技盤保持枠に設けられる。
【０００４】
球回収口の遊技機前後方向に対する幅を発射レールの幅よりも大にした場合、例えば発射ユニットにおいて発射レールが設けられている部分の発射通路の遊技機前後方向に対する幅を発射レールの遊技機前後方向に対する幅に合わせると、球回収口は戻ってくる遊技球を効率よく回収するために遊技機前後方向に対する幅が発射レールの幅よりも大にされていることから、発射ユニットの発射レールと遊技盤保持枠の球回収口との幅が異なることで段差を生じ、万一遊技球が遊技球誘導レールから球回収口を跳び越えて発射レール側へ戻ってきた場合に、遊技球が球回収口と発射レールとの間の段差部に挟まる、いわゆる球ガミが発生し、遊技に支障を来すおそれがある。そこで、発射通路の幅と球回収口の幅を同一にすることで遊技への支障を抑制するパチンコ遊技機があった。
【先行技術文献】
【特許文献】
【０００５】
【特許文献１】特開平８−１９１９２４号公報
【発明の概要】
【発明が解決しようとする課題】
【０００６】
しかしながら、発射通路の幅を球回収口の幅に合わせると、今度は発射通路の幅が発射レールの幅より大となるため、発射通路における発射レールの周辺に隙間が発生し、遊技領域に至らず戻ってきた遊技球が球回収口を跳び越えて発射通路に入り込んだ場合、発射レールにおける正しい発射位置に遊技球が戻らず、発射位置にずれを生じて遊技に支障をきたすおそれがある。
【０００７】
本発明は、前記の点に鑑みなされたものであって、遊技領域へ向けて発射された遊技球が発射レール側へ戻ってきた場合に、遊技の支障を抑制することが可能な遊技機の提供を目的とする。
【課題を解決するための手段】
【０００８】
請求項１の発明は、遊技球誘導レールで囲まれた遊技領域を有する遊技盤と、前記遊技盤を保持可能な遊技盤保持枠と、前記遊技球誘導レールへ向けられた発射レールと、前記発射レールへ遊技球を送り出し可能な送出装置を有する球供給部材と、前記発射レールに送り出された遊技球を前記遊技球誘導レールへ向けて発射可能な発射装置と、を備え、前記発射装置により前記発射レールから発射された遊技球が前記遊技球誘導レールにより前記遊技領域へ誘導可能とされ、前記発射レールから前記遊技球誘導レールへ向けて発射された遊技球のうち、前記遊技領域へ到達することなく前記遊技球誘導レールから前記発射レール側へ戻ってくる遊技球を回収するための球回収口を前記遊技球誘導レールと前記発射レールの間に有する遊技機において、前記遊技盤の前面側には前記遊技球誘導レールの遊技盤側が固定され、前記遊技盤保持枠の前面側には前記球回収口と、前記発射レールの遊技盤側が固定されたベース部材とが設けられ、前記遊技球誘導レールの遊技盤側と前記発射レールの遊技盤側は前記遊技機の前後方向に対する位置が略同一にされ、前記ベース部材には前記発射装置が取り付けられ、前記球回収口は、遊技機前後方向に対する開口幅が前記発射レールの遊技機前後方向に対するレール幅よりも大とされ、前記球供給部材は、前記ベース部材の発射レール取付側の面と対向する壁面を有し、前記発射レール上を転動する遊技球が通過可能な発射通路の少なくとも一部が前記ベース部材の発射レール取付側の面と前記球供給部材の壁面との間で構成され、前記発射通路の遊技機前後方向に対する通路幅を、前記発射通路における球回収口側で前記発射レールにおける前記レール幅より大にして前記球回収口の前記開口幅と略同一にすると共に、前記球回収口側とは反対側へ向けて徐々に狭くすることで遊技球を前記発射レール上へ誘導可能な通路規制部が、前記ベース部材の発射レール取付側の面と前記球供給部材の壁面間に設けられていることを特徴とする。
【０００９】
請求項２の発明は、請求項１において、前記通路規制部は、前記球供給部材の壁面に設けられていることを特徴とする。
【００１０】
請求項３の発明は、請求項２において、前記ベース部材の発射レール取付側の面と前記球供給部材の壁面との間隔が前記球回収口の前記開口幅と略同一にされ、前記通路規制部は、前記球供給部材の壁面から前記ベース部材の発射レール取付側の面へ向けて突出した突起からなり、前記突起は前記発射レールの長さ方向に沿って形成されると共に、前記球供給部材の壁面における球回収口側から反対側へ向けて前記ベース部材の発射レール取付側の面へ傾斜していることを特徴とする。
【発明の効果】
【００１１】
請求項１の発明によれば、発射された遊技球が遊技領域に至ることなく遊技球誘導レールを戻ってきて球回収口を跳び越え、発射通路内に至る場合、発射通路の通路幅は、通路規制部により、発射通路における球回収口側で球回収口の開口幅と略等しくされ、球回収口側とは反対側へ向けて徐々に狭くされ、遊技球の発射位置で発射レールのレール幅と略等しくされているため、遊技球を発射レール上の発射位置へ正しく戻すことが可能であり、球ガミによる遊技への支障を抑制することが可能となる。
【００１２】
請求項２の発明によれば、発射位置の遊技球に接触しない球供給部材の壁面に通路規制部が設けられているため、発射位置の遊技球を円滑に発射することが可能となる。
【００１３】
請求項３の発明によれば、球供給部材の壁面に形成した突起により、発射通路の通路幅を球回収口側で球回収口の開口幅と略等しくすると共に、球回収口側とは反対側へ向けて徐々に狭くし、遊技球の発射位置で発射レールのレール幅と略等しくすることができ、発射された遊技球が遊技領域に至ることなく遊技球誘導レールを戻ってきて球回収口を跳び越え、発射通路内に至る場合に、戻り遊技球を発射通路内の発射レール上の発射位置に円滑に誘導することが可能となる。
【図面の簡単な説明】
【００１４】
【図１】本発明の一実施例に係る遊技機の正面図である。
【図２】同遊技機の分解斜視図である。
【図３】同遊技機における遊技盤の正面図である。
【図４】同遊技機におけるガラス枠を開けた状態の正面図である。
【図５】図４において球供給部材を外した状態の遊技機正面図である。
【図６】同遊技機において遊技盤保持枠と、遊技盤と、発射装置を有するベース部材と、球供給部材の分解斜視図である。
【図７】ベース部材に取り付けられた球供給部材を開いた状態を示す斜視図である。
【図８】操作ハンドルの平面図である。
【図９】発射制御基板と操作ハンドルと駆動源の接続を示すブロック図である
【図１０】槌部材の回転を示す図である。
【図１１】球供給部材の斜視図である。
【図１２】前面側ケース半体を外した状態で球供給部材の作動を示す図である。
【図１３】図１２の（Ｃ）の状態におけるベース部材と発射装置を示す図である。
【図１４】ベース部材に発射装置と球供給部材を取り付けた状態の正面図及びＡ−Ａ断面図、Ｂ−Ｂ断面図である。
【図１５】ベース部材に発射装置と球供給部材を取り付けた状態の正面図及びＣ−Ｃ断面図である。
【図１６】球供給部材のケースにおける背面側ケースの斜視図である。
【図１７】遊技盤保持枠下部の正面図と断面図である。
【図１８】図１７の（Ｂ）図の一部拡大図である。
【発明を実施するための形態】
【００１５】
図１に示す遊技機１は、遊技媒体として遊技球を用いるパチンコ遊技機であって、遊技機の外枠Ｗ１に遊技盤保持枠Ｗ２がヒンジ部Ｈ１で開閉可能に取り付けられ、前記遊技盤保持枠Ｗ２の前面側にはガラス枠Ｗ３が前記ヒンジ部Ｈ１で開閉可能に取り付けられている。図２は遊技機１の分解斜視図である。前記ガラス枠Ｗ３は、枠部材の内側にガラス板等の透明部材が装着されたものであり、前記遊技盤保持枠Ｗ２の前面側に、遊技盤保持枠Ｗ２の下部の一部を露出させた状態で取り付けられている。遊技盤保持枠Ｗ２には、前記ガラス枠Ｗ３の透明部材で覆われる略中央部分に遊技盤２が取り付けられ、前記ガラス枠Ｗ３を通して遊技者が遊技盤２の表面を視認可能になっている。また、前記遊技盤２が取り付けられた遊技盤保持枠Ｗ２の背面側（裏面側）には、機構板Ｗ４が取り付けられて前記外枠Ｗ１内に収納されている。
【００１６】
前記機構板Ｗ４には主制御基板１１０、サブ制御基板１１５、サブドライブ基板１２０、音声・表示制御基板１２５、払出制御基板１３０等の制御基板が取り付けられている。各基板はケースで覆われている。前記主制御基板１１０はＣＰＵ、ＲＡＭ、ＲＯＭ、複数のカウンタを備えたワンチップマイクロコンピュータを備え、遊技に係る主制御を行う。前記サブ制御基板１１５は、主制御基板１１０から送信されたコマンドを受信し、対応する制御基板にコマンドを出力する。前記サブドライブ基板１２０は、サブ制御基板１１５が制御するランプ装置等を点灯させるためのドライバＩＣが搭載されている。前記音声・表示制御基板１２５は、サブ制御基板１１５からのコマンドに基づきスピーカからの音声及び表示装置における図柄等の表示制御を行う。前記払出制御基板１３０は、前記主制御基板１１０から出力されるコマンドを受信して払出装置（賞球及び貸球払出装置）１３１を制御する。なお、前記払出装置１３１への遊技球の供給は、球貯留タンク９１に貯留された遊技球が前記球誘導樋９２を通り、球供給樋（図示せず）を経て行われる。前記払出装置１３１は、払出モータが回転することにより、回転球受け体（例えばスクリュー形式のもの）を回動し、回転球受け体の球受部に受け入れた遊技球を回転球受体の回転により球送りして１球ずつ排出する公知のものである。
【００１７】
前記ガラス枠Ｗ３の前面側には上部にランプ装置３５と、効果音等を発するスピーカー３８が設けられ、下部側には払い出された遊技球を受けるための上側球受け皿３６、該上側球受け皿３６の飽和時に遊技球を受けるための下側球受け皿３７、遊技者の発射操作に応じて遊技球を弾発発射する発射装置の操作用ハンドル６４が設けられている。
【００１８】
図３に遊技盤を示す。遊技盤２の表面（前面）の縁には、外レール３及び内レール４で構成される遊技球誘導レール３Ａが略円形に設けられている。前記外レール３及び内レール４は、図６に示すように、遊技盤側となる一側端部（遊技盤側とも記す）３ｅ、４ｅ（すなわち遊技機の前後方向における後方側）で遊技盤２の表面に固定され、前面側をガラス枠Ｗ３の透明部材に覆われることで遊技球の前後方向への移動を規制している。前記外レール３は前記遊技領域６の左下部から左側部と上部を通って右上部まで円弧状に設けられている。一方、前記内レール４は、前記遊技領域６の右側部の上部から遊技領域の下部を通って左側部の上部まで設けられ、前記遊技領域６の下部から左側部の上部までの部分が前記外レール３より内側に位置し、前記遊技領域６の右側部の上端で前記外レール３と連結されている。また、前記内レール４の左側部の下部外面には、内レール分岐部４ａが前記遊技盤２の中心線下方へ向けて斜めに延設されている。前記遊技領域６の下部から左側部までの外レール３と内レール４（内レール分岐部４ａを含む）間が、発射された遊技球を遊技領域６内に誘導する発射球誘導路５を構成し、前記発射球誘導路５の遊技領域への出口５ａには、バネ片５ｂが取り付けられている。前記出口５ａのバネ片５ｂは、発射球誘導路５から遊技領域６へ遊技球を進入可能にする一方、遊技領域６に至った遊技球が遊技領域６内の部材等で跳ね返されて発射球誘導路５内へ戻るのを防ぐものであり、通常時は発射球誘導路５の出口５ａを塞ぎ、発射された遊技球により発射球誘導路５の内側から押された際に遊技領域６内側へ屈曲して発射球誘導路５の出口５ａを開くようになっている。なお、本実施例における前記遊技領域６は略円形とされているが、円形に限るものではなく、例えば少なくとも一部が略直線状とされたものでもよい。
【００１９】
前記遊技領域６には、中心線上にその上部から下部に向かって順に表示装置９、第１始動入賞口１０、第２始動入賞口１１、大入賞口１５、アウト口１９が設けられている。また、前記表示装置９の左右には左ゲート２１と右ゲート２３が設けられている。前記第１始動入賞口１０及び第２始動入賞口１１の左側には、風車７の下方に左第１入賞口２５、左第２入賞口２７、左第３入賞口２９が上から順に設けられ、一方、前記第２始動入賞口１１の右側には右入賞口３１が設けられている。前記第１始動入賞口１０、第２始動入賞口１１、大入賞口１５、左第１入賞口２５、左第２入賞口２７、左第３入賞口２９、右入賞口３１は、入賞装置であり、遊技領域６に発射された遊技球が入賞（入球）すると、所定数の遊技球が賞品球として前記払出装置１３１により払い出される。なお、遊技領域６に発射された遊技球が何れの入賞装置にも入賞しなかった場合には、前記アウト口１９から遊技機の背面側へ排出される。
【００２０】
前記表示装置９の外周を囲むようにセンター役物（表示装置周囲飾り）５０が前記遊技盤２の表面に遊技者側へ突出して設けられている。また、前記遊技領域６には、前記遊技領域６に打ち込まれた遊技球を誘導する誘導釘（図では省略）が立設されている。遊技領域６内の主要な部分について詳述する。
【００２１】
前記表示装置９は、遊技が大当たりか否かの判定結果を特別図柄の組合せで表示する図柄表示部に相当する。前記表示装置９内の左下には、遊技が普通図柄当たりか否かの判定結果を表示する普通図柄表示部４２が設けられている。前記表示装置９は、液晶，ドットマトリックス若しくはＬＥＤ表示装置等の表示装置からなる。本実施例では、液晶表示器（ＴＦＴ−ＬＣＤモジュール）で構成されている。
【００２２】
前記表示装置９は、左側位置に左特別図柄、中央位置に中特別図柄、右側位置に右特別図柄がそれぞれ変動表示及び停止表示可能とされ、停止表示された特別図柄の組み合わせで大当たりの当否判定結果が表示され、遊技者に報知される。本実施例における左特別図柄、中特別図柄、右特別図柄は、それぞれ『０，１，２，３，４，５，６，７，８，９，１０，１１』の１２種類の図柄で構成されている。大当たりの場合、前記左特別図柄、中特別図柄及び右特別図柄が、いわゆるぞろ目、すなわち数字が同一の特別図柄からなる大当たり図柄の組合せ（例えば‘０，０，０’、‘１，１，１’等）で停止表示されることにより、大当たりであることを示す。
【００２３】
前記普通図柄表示部４２は、普通図柄当たりの判定図柄として記号或いは絵（キャラクタ）等からなる普通図柄が変動表示及び停止表示可能とされている。本実施例における普通図柄は、『０，１，２，３，４，５，６，７，８，９』の１０通りの図柄とされており、普通図図柄当たりの場合には、前記普通図柄表示部４２に奇数の普通図柄で停止表示するようになっている。前記普通図柄表示部４２は、液晶，ドットマトリックス若しくはＬＥＤ表示装置等からなる。
【００２４】
前記第１始動入賞口１０は、前記表示装置９の真下の位置に、上方へ向けて開口して設けられ、上方から流下してくる遊技球が入球（入賞）可能となっている。
前記第２始動入賞口１１は、前記第１始動入賞口１０の真下に設けられ、２つの可動片１１ａ、１１ｂを備えると共に、前記２つの可動片１１ａ、１１ｂの先端間が入球可能領域とされ、前記可動片１１ａ，１１ｂが背面の始動入賞口用ソレノイドにより略垂直にされて入球（入賞）のし難い入球可能領域狭小状態と、略Ｖ字形（逆ハの字形）に拡開して入球（入賞）のし易い入球可能領域拡大状態間を変化可能に制御されている。前記第２始動入賞口１１の入球可能領域拡大は、前記普通図柄表示部４２の普通図柄が変動した後に予め決められた特定の普通図柄（本実施例では奇数の図柄）で停止表示されて普通図柄当たりが成立した時に行われる。
【００２５】
前記遊技盤２の裏側には、前記第１始動入賞口１０に入賞（入球）した遊技球を検出する第１始動入賞口検出スイッチ（第１始動入賞口センサ）と、前記第２始動入賞口１１に入賞（入球）した遊技球を検出する第２始動入賞口検出スイッチ（第２始動入賞口センサ）が設けられている。本実施例では、前記第１始動入賞口検出スイッチあるいは第２始動入賞口検出スイッチにより入賞球が検出されると、遊技の大当たりを判定するための大当たり判定用乱数が取得され、前記表示装置９で特別図柄の変動が開始される。そして、前記取得された大当たり判定用乱数が大当たりであった場合に、前記表示装置９で特別図柄が大当たり図柄の組合せで停止表示されて大当たりが表示されると共に、大当たりまでの通常遊技に比べ遊技者にとって有利な特別遊技が実行される。
【００２６】
前記左ゲート２１と右ゲート２３は、上方から流下してきた遊技球が通過可能とされ、遊技球が前記両ゲート２１，２３に入球したことを検出する普通図柄変動開始スイッチを備えている。前記普通図柄変動開始スイッチで遊技球が検出されると、普通図柄当たりを判定するための普通図柄当たり判定用乱数が取得され、前記普通図柄表示部４２で普通図柄の変動が開始する。取得された普通図柄判定用乱数が普通図柄当たりの場合には、前記普通図柄表示部４２で普通図柄が特定の図柄（本実施例では奇数の図柄）で停止表示されることによって普通図柄当たりが表示され、前記第２始動入賞口１１の可動片１１ａ，１１ｂが拡開状態になる。
【００２７】
また、前記左第１入賞口２５、左第２入賞口２７、左第３入賞口２９、右入賞口３１には、それぞれの入球（入賞）を検出する入賞口用検出スイッチが、それぞれ対応する遊技盤背面に設けられている。
【００２８】
前記大入賞口１５は、遊技盤背面の大入賞口開放用ソレノイド（図示せず）によって開閉する開閉板１６を備えている。前記大入賞口１５は、通常は開閉板１６が閉じた状態とされ、特別遊技（大当たり遊技）の際に開いて上方から流下してくる遊技球を開閉板１６で受け止めて大入賞口１５へ入賞可能とする。前記大入賞口１５内には、前記大入賞口１５に入賞した入賞球を検出する大入賞口入賞球数カウントスイッチ（図示せず）が設けられている。
【００２９】
前記大当たりとなった場合に行われる特別遊技では、前記大入賞口１５の開閉板１６が開いて前記遊技領域６の表面を流下してくる遊技球を開閉板１６で受け止め易くし、前記大入賞口１５へ入賞可能にする。前記大入賞口１５への入賞があると、前記払出装置１３１により所定数の遊技球が賞品球として払い出される。前記開閉板１６は、所定時間（例えば２９．５秒）経過後、或いは前記入賞球数カウントスイッチで検出された入賞球数が所定個数（例えば１０個）となった時点で閉じるようにされ、所定回数（例えば１５回）前記開閉板１６の開放を繰り返すようになっている。
【００３０】
前記ガラス枠Ｗ３を開いた状態を示す図４のように、前記遊技盤保持枠Ｗ２における前記遊技盤２の下方の前面側には、略中央に発射レール４１（図５に示す）と発射装置５３及び球供給部材５７が取り付けられたベース部材５１が固定されている。また、前記遊技盤保持枠Ｗ２における前記遊技盤２下方の前面側には前記遊技盤２の遊技球誘導レール３Ａと前記ベース部材５１間に経路部材６１が取り付けられている。図５は、前記球供給部材５７をベース部材５１から外した状態を示す。また、図６には前記遊技盤保持枠Ｗ２と、前記遊技盤２と、前記発射装置５３を有するベース部材５１と、前記球供給部材５７を示す。図７にはベース部材５１に取り付けられた球供給部材５７を回動させて開いた状態を示す。
【００３１】
図５及び図７に示すように、前記ベース部材５１は本実施例では長方形の金属製板状体からなり、発射装置５３が前記ベース部材５１の遊技機背面側と前面側に設けられている。また、前記ベース部材５１の右端に形成された回動支持部５１１に前記球供給部材５７が回動可能に取り付けられ、図４及び図７のように球供給部材５７を閉じた際に前記発射装置５３の遊技機前面側に被さるようになっている。前記ベース部材５１は、縁に形成されたネジ用孔５１２（図７に示す）に通したネジ類によって前記遊技盤保持枠Ｗ２の所定位置に固定される。また、球供給部材の取付位置はベース部材に限定されるものではなく、例えば前記ガラス枠Ｗ３の背面側に取り付けられてもよいし、前記ガラス枠Ｗ３の背面側に一体形成されていてもよい。つまり、ガラス枠Ｗ３自体で球供給部材の役割を有していてもよいとする。更に、ガラス枠Ｗ３は、透明部材を保持するガラス保持部と上側球受け皿３６が一体に形成されているが、別体に構成し、何れか一方に球供給部材を一体的に設けてもよい。
【００３２】
前記発射装置５３は、図７に示すように、発射レール５３１と遊技球を弾発する槌部材５３３と、前記槌部材５３３を回転駆動させる駆動源５３７とで構成されている。前記発射レール５３１と槌部材５３３はベース部材５１の遊技機前面側に取り付けられ、一方、前記駆動源５３７は前記ベース部材５１の遊技機背面側に取り付けられている。前記発射レール５３１は、上面に遊技球を保持可能な略Ｖ字形の溝部５３２を有する略Ｍ字形の横断面形状からなり、前記溝部の深さ及び幅は、溝部５３２の中心に向けて遊技球が安定して設置されるように構成され、図６に示すように先端５３１ａを前記遊技球誘導レール３Ａへ向けて、すなわち前記遊技球誘導レール３Ａの発射球誘導路５へ向けて前記ベース部材５１に、前記発射レール５３１の遊技盤側端部（すなわち遊技盤側となる一側端部）５３１ｅ（図７に示す）で取り付けられている。前記発射レール５３１の遊技盤側端部（すなわち遊技盤側となる一側端部）５３１ｅは、前記ベース部材５１が前記遊技盤保持枠Ｗ２に取り付けられた際に、前記遊技球誘導レール３Ａの遊技盤側端部（すなわち遊技盤側となる一側端部）３ｅ、４ｅと、遊技機前後方向の位置が略同一となるように構成されている。（例えば一側を同一面上に設けることで発射を安定させるように構成されている。）前記槌部材５３３は、前記発射レール５３１側の先端５３４にコイルバネを有し、槌部材５３３の略中央部で前記駆動源５３７の回動軸５３８に取り付けられている。そして本実施例では、遊技球誘導レール３Ａと前記発射レール５３１の遊技機前後方向の幅は異なり、遊技球を前記発射レール５３１から遊技球誘導レール３Ａへ円滑に誘導させるために前記遊技球誘導レール３Ａの遊技機前後方向の幅を前記発射レール５３１のレール幅ｊよりも大に構成されている。
【００３３】
前記駆動源５３７は、前記槌部材５３３を該槌部材５３３の先端５３４が前記発射レール５３１に対して遠い位置から接近するように回動させるものであり、本実施例ではロータリーソレノイドで構成されている。前記ロータリーソレノイドからなる駆動源５３７は、電源断の状態で前記槌部材５３３の先端５３４を前記発射レール５３１から遠ざかった位置にし、電源入によって前記槌部材５３３の先端５３４を前記発射レール５３１へ接近させるように前記槌部材５３３を回動させ、前記発射レール５３１上の発射位置（略Ｖ字型の溝部）に供給された遊技球を槌部材５３３の先端５３４で弾発発射させる。また、前記駆動源５３７は、遊技球を一球発射後に再び前記槌部材５３３の先端５３４を発射レール５３１から離れた元の位置に戻す。符号５３９は、前記槌部材５３３の先端５３４が発射レール５３１から離れた元の位置に戻った際に、前記槌部材５３３の一部が当たってそれ以上の回動を阻止する戻り時のストッパーであり、一方、符号５４０は、前記槌部材５３３の先端５３４が前記発射レール５３１上の遊技球を弾発発射させた際に、前記槌部材５３３の一部が当たってそれ以上の回動を阻止する発射時のストッパーである。前記駆動源５３７の回動速度、すなわち前記槌部材５３３による遊技球の発射強度は、前記操作ハンドル６４の操作量（回転角度）に応じて変化する。
【００３４】
前記遊技球の発射強度を調節する操作ハンドル６４は、前記遊技盤保持枠Ｗ２の前面右下部に回動可能に取り付けられている。前記操作ハンドル６４は、図８に示すように、遊技者が握る把持部６４１と前記遊技盤保持枠Ｗ２に取り付けられる軸部６４２とを有し、前記軸部６４２に対して前記把持部６４１が回転可能となっている。前記把持部６４１は回転によって抵抗値が変化する可変抵抗器を有しており、また前記把持部６４１の外周には、遊技者が接触したことを検知する接触検知部６４３と、遊技者が押すことが可能な単発スイッチ６４４が設けられている。
【００３５】
前記操作ハンドル６４と前記発射装置５３の駆動源５３７とは、図９に示すように、発射制御基板１３５と電気的に接続されている。前記発射制御基板１３５は、前記遊技盤保持枠Ｗ２における操作ハンドル６４の背面側に設けられている。前記槌部材５３３の回動は次のように行われる。まず、前記操作ハンドル６４の接触検知部６４３に遊技者が接触したことが検知されると、前記発射制御基板１３５は前記発射装置５３の駆動源５３７に通電を開始する。そして、前記操作ハンドル６４の把持部６４１の回転量（回転角度）の変化によって可変抵抗器の抵抗値が変化して電圧が調整され、発射強度信号として前記発射制御基板１３５へ送信される。前記発射制御基板１３５は、受信した発射強度信号に基づく電流を前記駆動源５３７へ出力し、電流に応じた回転速度（発射強度）で図１０に示すように、前記槌部材５３３を発射レール５３１から遠い位置５３３Ａから、前記発射レール５３１へ向けて５３３Ｂの位置へ回転駆動させ、前記発射レール５３１上の発射位置にある遊技球Ｐ１を槌部材５３３の先端５３４で打ち、発射させる。
【００３６】
例えば、操作ハンドル６４の把持部６４１が初期位置（回転角度０度）の場合は、前記可変抵抗器の電圧が１．７Ｖとなり、対応する電流が１．２４Ａとなる。この場合、前記駆動源５３７は、遊技球が遊技領域６に到達しない強さで前記槌部材５３３を回転駆動させる。また前記把持部６４１を初期位置から右一杯（回転角度１０５度）まで回転させると、可変抵抗器の電圧が３．５Ｖとなり、対応する電流は２．５５Ａとなる。この場合、前記駆動源５３７は、遊技球が遊技領域の右側へ到達可能な強さで前記槌部材５３３を回転駆動させる。また、前記単発スイッチ６４４が押された状態が検知されると、前記発射制御基板１３５は前記駆動源５３７への通電を停止し、前記駆動源５３７による槌部材５３３の回転を停止して遊技球が発射されるのを停止する。
【００３７】
前記球供給部材５７は、図１１に示すように、遊技盤側（遊技機背面側と同じ）とされる背面側ケース半体５７１と遊技前面側とされる前面側ケース半体５７２とからなる箱状のケース５７０と、前記ケース５７０内に設けられた構成部よりなる。前記球供給部材５７は背面側ケース半体５７１を遊技盤側（遊技機背面側）として、前記発射装置５３の遊技機前面側に被さる（すなわち重なる）ようにして前記ベース部材５１に取り付けられる。
【００３８】
図１２は前面側ケース半体５７２を外した状態の球供給部材５７の正面図である。また、図１３は、図１２の（Ｃ）の状態を前記ベース部材５１及び発射装置５３と共に示した図である。図１２を用いて、前記球供給部材５７の各構成部を説明する。図１２の（Ａ）に示すようにケース５７０内に右上から左側へ所定角度で下方へ傾斜した球通路５７３と、前記球通路５７３の左端側の下面に形成された開口部５７４と、前記開口部５７４を開閉するスライド部材５７５と、前記球通路５７３の開口部５７４の下方に設けられて前記スライド部材５７５の開時に前記球通路５７３と通じ、閉時に遮断される球排出通路５７９と、前記球通路５７３の左端の左側に設けられた送出部５８１と、前記送出部５８１の上方に設けられた球送りソレノイド５９０とを有する。
【００３９】
前記球通路５７３は、遊技球Ｐ２が転動可能な大きさからなり、前記前面側ケース半体５７２に形成された入球口５９５（図１１に示す）と右端側で通じ、前記上側球受け皿３６からの遊技球が前記入球口５９５を通って前記球通路５７３の右端側に入り、前記球通路５７３を左側へ転動可能となっている。
【００４０】
前記スライド部材５７５はバネ部材５７６によって左方へ付勢され、該付勢によって前記球通路５７３の下面の開口部５７４を塞ぎ、前記開口部５７４を塞ぐスライド部材５７５上を通って球通路５７３内を遊技球が左方へ転動可能となっている。前記スライド部材５７５は、該スライド部材５７５に設けられたつまみ５７７を右方へ動かすことにより、前記バネ部材５７６に抗して右方へスライドし、前記球通路５７３の下面の開口部５７４を開放し、前記球通路５７３内の遊技球Ｐ２を開口部５７４から前記球排出通路５７９へ流下可能となっている。
【００４１】
前記球排出通路５７９は、下部において前面側ケース半体５７２に形成された球出口５８０（図１１に示す）を経て前記下側球受け皿３７と通じており、前記開口部５７４の開放時、前記球通路５７３の遊技球を球排出通路５７９を経て下側球受け皿３７へ排出可能となっている。
【００４２】
前記送出部５８１は、前記球通路５７３側が上下揺動可能なように前記ケース５７０に軸５８２で取り付けられている。前記送出部５８１において前記球通路５７３の左端と対向する右端面に内方へ窪んだ球受け凹部５８３が形成され、前記球受け凹部５８３の上方が上側突部５８４、下方が下側突部５８５となって両突部が前記球通路５７３側へ突出している。また、前記上側突部５８４の上面には球送りソレノイド５９０の作動によって吸引可能な鉄などの金属片５８６が設けられている。前記送出部５８１は、図１２の（Ａ）、（Ｃ）のように、下方へ自重で揺動した際に、前記球受け凹部５８３の上方の上側突部５８４が前記球通路５７３の左端に位置すると共に前記球受け凹部５８３が前記球通路５７３の左端の下方に位置し、、一方、図１２の（Ｂ）のように、前記球送りソレノイド５９０の作動によって前記送出部５８１が上方へ揺動した際に、前記球受け凹部５８３が前記球通路５７３の左端と対向する位置となるように構成されている。前記球受け凹部５８３は、前記球通路５７３から転動してくる遊技球を１球だけ受ける大きさからなる。また、前記下側突部５８５の上面、すなわち前記球受け凹部５８３において遊技球を受ける下面は、前記ケース５７０の遊技機背面側へ向けて下方へ傾斜し、前記ケース５７０の背面側ケース半体５７１に形成された発射球供給出口５９１（図７及び図１６に示す）を通って前記発射レール５３１上の発射位置へ遊技球を誘導可能に形成されている。
【００４３】
前記球送りソレノイド５９０は、通電により励磁されると前記送出部５８１の金属片５８６を吸引して前記球送出部５８１を上方へ揺動させ、一方、通電が停止されると磁力が無くなって前記金属片５８６の吸引を解除し、前記球送出部５８１を自重により下方へ揺動させる。
【００４４】
前記操作ハンドル６４と前記球送出部５８１の作動について説明する。前記球送出部５８１は、前記球送りソレノイド５９０に通電されていないときは、図１２の（Ａ）のように、自重によって下方へ揺動した位置にあって前記球通路５７３から遊技球Ｐ２が転動してくるのを、前記上側突部５８４で阻止する。その状態で、前記操作ハンドル６４を遊技者が握って右側へ回転させると、前記球送りソレノイド５９０及び前記発射装置５３の駆動源５３７に通電が開始される。前記球送りソレノイド５９０は、通電されると、前記駆動源５３７の作動による発射装置５３の発射動作に同期して励磁されて磁力を発生し、前記球送出部５８１を図１２の（Ｂ）のように上方へ揺動させ、前記球通路５７３から遊技球を１球だけ前記球受け凹部５８３に収容保持する。その後、前記球送りソレノイド５９０への通電が停止され、図１２の（Ｃ）及び図１３のように、前記球送出部５８１が下方へ自重で揺動し、それまで前記球受け凹部５８３に保持されていた遊技球が、前記下側突部５８５の上面（すなわち前記球受け凹部５８３において遊技球を受ける下面上）を転動して前記背面側ケース半体５７１に形成されている前記発射球供給出口５９１（図７及び図１６に示す）から前記発射レール５３１上の発射位置に送り出される。
【００４５】
前記球供給部材５７は、図１４及び図１５に示すように、前記発射装置５３の遊技機前面側に被さる（重なる）ようにして前記ベース部材５１に取り付けられ、前記発射レール５３１上を転動する遊技球が通過可能な発射通路６０の少なくとも一部が、前記ベース部材５１の発射レール取付側の面５１ａと対向する前記背面側ケース半体５７１の壁面５７１ａと、前記ベース部材５１の発射レール取付側の面５１ａとの間で構成される。前記ベース部材５１の発射レール取付側の面５１ａと対向する前記背面側ケース半体５７１の壁面５７１ａは、図１６に示すように、前記背面側ケース半体５７１における外面で構成される。
【００４６】
前記発射通路６０は、前記発射レール５３１の上方に位置する。図１５に示すように、前記ベース部材５１の発射レール取付側の面５１ａと前記背面側ケース半体５７１の壁面５７１ａとの間隔ｄは、前記発射レール５３１における遊技機前後方向のレール幅ｊより大にされて後述する球回収口６１５の遊技機前後方向の開口幅ｋ（図１８に示す）と略同一にされ、発射通路６０及び球回収口６１５は遊技球誘導レール３Ａから発射レール側へ戻ってくる遊技球を受け入れ可能である。実施例上では、球回収口６１５の開口幅ｋは、前記遊技球誘導レール３Ａから前記発射レール側へ戻ってくる遊技球を受け入れ可能な幅となっているため、前記間隔ｄ及び球回収口６１５の開口幅ｋは、前記発射レール５３１のレール幅ｊより大にされていることから、前記発射通路６０の幅は球回収口との間に段差が生じないように開口幅ｋの幅に合わせた構成となっている。ｄａは前記発射通路６０における遊技機前後方向の通路幅を示す。また前記遊技球誘導レール３Ａが設けられた発射球誘導路５の遊技機前後方向の幅を、前記球回収口６１５の遊技機前後方向の開口幅ｋと略同一にしたり、少なくとも前記遊技球誘導レール３Ａと球回収口６１５の一側を略同一面に設けることで前記球回収口の開口幅ｋを前記遊技球誘導レール３Ａより大にしてもよい。
【００４７】
前記通路幅ｄａは前記ベース部材５１の発射レール取付側の面５１ａと前記球供給部材５７における背面側ケース半体５７１の壁面５７１ａ間に設けられた通路規制部６０５により、前記球回収口側６０１とは反対側６０２へ向けて徐々に狭くされている。前記発射通路６０における球回収口側６０１の通路幅ｄ１は、前記ベース部材５１の発射レール取付側の面５１ａと前記背面側ケース半体５７１の壁面５７１ａとの間隔ｄと同一、すなわち、前記発射レール５３１のレール幅ｊより大（例えば遊技球１．５個分の幅）にされて球回収口６１５の開口幅ｋと略同一（遊技球誘導レール３Ａから戻ってくる遊技球を受け入れ可能な幅）とされている。このように、前記通路幅ｄａを球回収口側６０１から該球回収口側６０１とは反対側６０２へ向けて徐々に狭くすることで、前記遊技球誘導レール３Ａから発射レール５３１側へ戻ってくる遊技球を前記発射レール５３１上へ誘導可能にしている。また、本実施例では、前記通路幅ｄａは遊技球の発射位置近くで前記発射レール５３１の略Ｖ字形の溝部に遊技球を誘導可能に構成され、前記発射レール５３１のレール幅ｊと略同一（例えば少なくとも遊技球一個分の幅）にすることで溝部に誘導可能な幅にしているため、複数の遊技球が発射通路に戻ってきた場合に、槌部材の先端が触れる位置にある遊技球の弾発位置（先端が遊技球に当たる位置）にズレが生じないようにしている。ｄ２は遊技球の発射位置近くの通路幅である。
【００４８】
前記通路規制部６０５は、本実施例では、前記球供給部材５７における背面側ケース半体５７１の壁面５７１ａから前記ベース部材５１の発射レール取付側の面５１ａへ向けて突出したリブ状の突起で構成されている。前記通路規制部６０５を構成する突起は、図７、図１４、図１５及び図１６に示すように、前記発射レール５３１の上方側において該発射レール５３１上を戻って転動する遊技球の側面と当接可能な位置に、前記発射レール５３１の長さ方向に沿って形成されている。前記通路規制部６０５を構成する突起は、平行に複数本設けられている。
【００４９】
また、前記通路規制部６０５を構成する各突起は、前記球回収口側６０１から前記球回収口側６０１とは反対側６０２（すなわち槌部材側）へ向けて、前記ベース部材５１の発射レール取付側の面５１ａへ傾斜している。これにより、前記通路規制部６０５を構成する各突起は、前記背面側ケース半体５７１の壁面５７１ａから前記ベース部材５１へ向かう突出量（すなわち突出高さ）が、前記球回収口側６０１で少なく（低く）され、前記球回収口側６０１とは反対側６０２（すなわち槌部材側）で大に（高く）なっている。そのため、前記遊技球誘導レール３Ａから後述の回収口６５を超えて発射レール５３１上の発射通路６０へ戻ってきた遊技球は、前記球回収口側６０１で幅広の発射通路６０内に容易に進入し、前記球回収口側６０１とは反対側６０２（すなわち槌部材側）へ進むに従い、前記通路規制部６０５（リブ状突起）によってベース部材５１側へ通路幅が狭くなっているため、前記発射レール５３１上の発射位置へ正しく遊技球が誘導され、遊技球が背面側ケース半体５７１の壁面５７１ａと発射レール５３１間の隙間に詰まる球ガミの発生を抑制することが可能である。
【００５０】
また、本実施例における通路規制部６０５を構成する複数のリブ状突起は、図１６に示すように、下側の複数本６０５ａについては、前記背面側ケース半体５７１に形成されている発射球供給出口５９１の位置で終了している。前記発射球供給出口５９１は、前記発射レール５３１における遊技球発射位置と対応する位置となっており、前記送出部５８１の球受け凹部５８３に保持された遊技球が、前記下側突５８５上を転動して前記発射球供給出口５９１から発射レール５３１上に供給されることにより、発射位置に配置される。
【００５１】
さらに図１５に示すように、前記送出部５８１の下側突部５８５は、前記発射球供給出口５９１から遊技機背面側（発射位置側）へ突出して、前記通路規制部６０５を構成する複数のリブ状突起と略同一の位置とされている。これにより、前記通路規制部６０５と前記送出部５８１の下側突部５８５間の段差を少なくして、遊技球をより正しく発射位置へ誘導可能となる。
以上が実施例上での通路規制部であるが、通路規制部の構成はこれに限定されるものではなく、形状や材質、幅等を発射通路に合わせて構成すればよい。
【００５２】
前記経路部材６１は、上方が球回収口６５として開口したケースからなり、前記遊技球誘導レール３Ａと前記ベース部材５１間における遊技盤保持枠Ｗ２の遊技機前面側に取り付けられて前記遊技球誘導レール３Ａと発射レール５３１間に位置する。前記球回収口６５の上端位置は、前記遊技球誘導レール３Ａの発射球誘導路５と前記発射装置５３の発射レール５３１を結ぶ線よりも下方に位置し、前記遊技球誘導レール３Ａから発射レール５３１側へ戻ってくる遊技球が前記球回収口６５に入球可能に構成されている。前記球回収口６５は、図１７及び図１８に示すように、遊技機前後方向の開口幅ｋが前記発射レール５３１のレール幅ｊよりも大にされている。これにより、前記遊技球誘導レール３Ａから発射レール５３１側へ戻ってきた遊技球が球回収口６５に入球し易くなる。なお、前記経路部材６１内は前記球回収口６５から前記下側球受け皿３７に通じており、前記球回収口６５に入球した遊技球が前記下側球受け皿３７に回収されるように構成されている。
【００５３】
ここで前記遊技機１における遊技について簡略に説明する。前記遊技領域６へ向けて前記発射装置５３により発射された遊技球が、前記種々の入賞口に入賞すると入賞口に応じた所定数の遊技球が賞球として上側球受け皿３６に払い出される。また、前記左ゲート２１または右ゲート２３を遊技球が通過すると、普通図柄決定用乱数値が取得され、その取得乱数値に基づいて普通図柄の当たり判定が行われ、前記普通図柄表示部４２で普通図柄が変動を開始し、所定時間変動後に停止する。その際、前記普通図柄の当たり判定結果が普通図柄当たりの場合には、当たり普通図柄、この例では奇数で停止し、前記第２始動入賞口１１の２つの可動片１１ａ，１１ｂが背面の始動入賞口用ソレノイドによって略垂直で入賞し難い狭小開放状態（通常状態）から略Ｖ字形（逆ハの字形）の入賞し易い拡開開放状態に変化し、遊技球が入賞し易くなる。そして、前記第２始動入賞口１１に遊技球が入賞すると、所定数の遊技球が賞球として払い出される。
【００５４】
また、前記第１始動入賞口１０および第２始動入賞口１１に遊技球が入賞すると、大当たり当否判定用乱数値及び大当たり確定特別図柄の組合せ決定用大当たり図柄乱数値が取得され、前記取得された大当たり当否判定用乱数値に基づいて大当たりの当否判定が行われ、前記普表示装置９で特別図柄が変動を開始し、所定時間変動後に停止する。
【００５５】
前記大当たりの当否判定結果が大当たりの場合には、前記柄表示装置９に大当たり確定特別図柄組合せ、この例では『１，１，１』（いわゆる‘１’のぞろ目）や『２，２，２』（いわゆる‘２’のぞろ目）等、同一数字の組合せ）で停止表示され、遊技者に有利な大当たり遊技（特別遊技）に移行する。前記特別遊技状態になると、前記大入賞口１５の開閉板１６が開いて遊技領域６の表面を落下してくる遊技球を受け止め易くして、大入賞口１５へ入賞可能にし、該大入賞口１５への入賞があると、所定数の遊技球が賞球として払い出される。前記開閉板１６は、所定時間（例えば２９．５秒）経過後、或いは入賞球数が所定個数（例えば１０個）となった時点で閉じるようにされている。前記大入賞口１５の開放は、所定回数（例えば１５回）繰り返される。
【００５６】
また、前記発射装置５３により発射された遊技球が前記遊技領域６に至ることなく遊技球誘導レール３Ａを戻ってきて球回収口６５に入った遊技球は、前記下側球受け皿３７に回収される。
一方、前記発射装置５３により発射された遊技球が前記遊技領域６に至ることなく遊技球誘導レール３Ａを戻ってきて球回収口６５を跳び越え、前記発射通路６０内に至る場合には、前記発射通路６０の通路幅ｄａが、前記通路規制部６０５によって、発射通路６０における球回収口側で球回収口６５の開口幅と略等しくされ、球回収口側とは反対側へ向けて徐々に狭くされ、遊技球の発射位置で発射レール５３１のレール幅と略等しくされているため、遊技球を発射レール５３１上の発射位置へ正しく誘導することが可能であり、遊技球が発射レール５３１と球供給部材５７との間の段差部により槌部材５３３の先端が触れない位置で複数の遊技球の噛み合せ、いわゆる球ガミによる詰まりの発生を抑え、該球ガミによる遊技への支障を抑制することが可能となる。
【００５７】
なお、本発明は、前記の実施例に限定されず、発明の趣旨を逸脱しない範囲で変更可能である。例えば本実施例では前記遊技球誘導レールの遊技機前後方向の幅と前記発射レールのレール幅ｊは異なるが同じでもよい。また、略同一の幅は必ずしも完全一致でなくても効果を有すればよい。
【符号の説明】
【００５８】
１  遊技機
２  遊技盤
３Ａ  遊技球誘導レール
６  遊技領域
５１  ベース部材
５３  発射装置
５３１  発射レール
５７  球供給部材
６０  発射通路
６０５  通路規制部
６５  球回収口
【図１】
2012213476.tif 000003
【図２】
2012213476.tif 000004
【図３】
2012213476.tif 000005
【図４】
2012213476.tif 000006
【図５】
2012213476.tif 000007
【図６】
2012213476.tif 000008
【図７】
2012213476.tif 000009
【図８】
2012213476.tif 000010
【図９】
2012213476.tif 000011
【図１０】
2012213476.tif 000012
【図１１】
2012213476.tif 000013
【図１２】
2012213476.tif 000014
【図１３】
2012213476.tif 000015
【図１４】
2012213476.tif 000016
【図１５】
2012213476.tif 000017
【図１６】
2012213476.tif 000018
【図１７】
2012213476.tif 000019
【図１８】
2012213476.tif 000020